【手続補正書】
【提出日】平成24年10月12日(2012.10.12)
【手続補正１】
【補正対象書類名】特許請求の範囲
【補正対象項目名】全文
【補正方法】変更
【補正の内容】
【特許請求の範囲】
【請求項１】
複数の後続するデータシンボルを含む受信信号の周波数オフセットを推定する方法であって、
間に第１の時間距離を有する２つの受信シンボル間の受信信号の計算された位相の変化から前記周波数オフセットの第１の推定値を決定するステップと、
前記第１の時間距離とは異なる時間距離を間に有する２つの受信シンボル間の前記受信信号の計算された位相の変化から前記周波数オフセットの少なくとも１つの更なる推定値を決定するステップと、
前記第１の推定値及び前記更なる推定値の各々に対して、前記推定値が決定された際に使用された前記２つの受信シンボル間の前記距離から周波数周期性を決定するステップと、
前記推定値に加算された整数値と乗算された前記周波数周期性として各推定値に対して計算された周波数値が少なくとも互いにほぼ等しくなるように前記第１の推定値及び前記更なる推定値の各々に対する前記整数値を含む整数値の集合を決定するステップと、
前記周波数オフセットの補正済み推定値を前記決定された整数値の集合から計算するステップと
を含むことを特徴とする方法。
【請求項２】
前記各推定値に対して整数値の集合を決定するステップは、
各推定値及び複数の整数値の各々に対して対応する周波数値を計算するステップと、
種々の推定値に対して計算された前記周波数値を比較し、互いに最も近接する周波数値を与える各推定値に対して前記整数値を選択するステップとを含むことを特徴とする請求項１記載の方法。
【請求項３】
前記各推定値に対して整数値の集合を決定するステップ及び前記周波数オフセットの補正済み推定値を計算するステップは、
整数値の複数の組み合わせの各々に対して、確率関数を最大にする周波数値として最適な周波数値を計算するステップと、
最適な周波数値毎に尤度を計算するステップと、
前記周波数オフセットの補正済み推定値として最大尤度を有する前記最適な周波数値を選択するステップとを含むことを特徴とする請求項１記載の方法。
【請求項４】
前記各推定値に対して整数値の集合を決定するステップ及び前記周波数オフセットの補正済み推定値を計算するステップは、
前記第１の推定値と前記更なる推定値との間の少なくとも１つの差分を計算するステップと、
事前に計算された差分値毎に対応する整数値の集合を示すテーブルに格納された事前に計算された差分値と前記少なくとも１つの差分とを比較するステップと、
前記テーブルにおいて前記少なくとも１つの計算された差分に対応する前記整数値の集合を読み出すステップとを含むことを特徴とする請求項１記載の方法。
【請求項５】
前記周波数オフセットの補正済み推定値を計算するステップは、
前記テーブルにおいて読み出された前記整数値の集合から前記第１の推定値及び前記更なる推定値の各々に対する前記周波数オフセットの補正済み推定値を計算するステップを更に含むことを特徴とする請求項４記載の方法。
【請求項６】
前記周波数オフセットの前記補正済み推定値として前記決定された整数値の集合の前記整数値のうちの１つに対応する周波数値を選択するステップを更に含むことを特徴とする請求項２又は５記載の方法。
【請求項７】
前記決定された整数値の集合の前記整数値に対応する周波数値の平均値を計算するステップと、
前記周波数オフセットの前記補正済み推定値として前記平均値を選択するステップとを更に含むことを特徴とする請求項２又は５記載の方法。
【請求項８】
前記決定された整数値の集合の前記整数値に対応する周波数値の重み付き平均値を計算するステップと、
前記周波数オフセットの前記補正済み推定値として前記重み付き平均値を選択するステップと
を更に含むことを特徴とする請求項２又は５記載の方法。
【請求項９】
前記周波数オフセットの前記補正済み推定値を取得するために、各信号対雑音比に対応する重みを、前記決定された整数値の集合の前記整数値に対応する周波数値と混合するステップを更に含むことを特徴とする請求項２又は５記載の方法。
【請求項１０】
複数の後続するデータシンボルを含む受信信号の周波数オフセットを推定するように構成された受信機であって、
間に第１の時間距離を有する２つの受信シンボル間の受信信号の計算された位相の変化から前記周波数オフセットの第１の推定値を決定するように構成された第１の周波数オフセット推定器と、
前記第１の時間距離とは異なる時間距離を間に有する２つの受信シンボル間の前記受信信号の計算された位相の変化から前記周波数オフセットの少なくとも１つの更なる推定値を決定するように構成された少なくとも１つの更なる周波数オフセット推定器と、
前記第１の推定値及び前記更なる推定値の各々に対して、前記推定値が決定された際に使用された前記２つの受信シンボル間の前記距離から周波数周期性を決定する手段と、
前記推定値に加算された整数値と乗算された前記周波数周期性として各推定値に対して計算された周波数値が少なくとも互いにほぼ等しくなるように前記第１の推定値及び前記更なる推定値の各々に対する前記整数値を含む整数値の集合を決定する手段と、
前記周波数オフセットの補正済み推定値を前記決定された整数値の集合から計算する手段と
を備えることを特徴とする受信機。
【請求項１１】
前記受信機は、
各推定値及び複数の整数値の各々に対して対応する周波数値を計算し、
種々の推定値に対して計算された前記周波数値を比較し且つ互いに最も近接する周波数値を与える各推定値に対して前記整数値を選択することにより、各推定値に対して整数値の集合を決定するように構成されることを特徴とする請求項１０記載の受信機。
【請求項１２】
前記受信機は、
整数値の複数の組み合わせの各々に対して、確率関数を最大にする周波数値として最適な周波数値を計算し、
最適な周波数値毎に尤度を計算し、
前記周波数オフセットの補正済み推定値として最大尤度を有する前記最適な周波数値を選択することにより、各推定値に対して整数値の集合を決定し且つ前記周波数オフセットの補正済み推定値を計算するように構成されることを特徴とする請求項１０記載の受信機。
【請求項１３】
前記受信機は、
前記第１の推定値と前記更なる推定値との間の少なくとも１つの差分を計算し、
事前に計算された差分値毎に対応する整数値の集合を示すテーブルに格納された事前に計算された差分値と前記少なくとも１つの差分とを比較し、
前記テーブルにおいて前記少なくとも１つの計算された差分に対応する前記整数値の集合を読み出すことにより、各推定値に対して整数値の集合を決定し且つ前記周波数オフセットの補正済み推定値を計算するように構成されることを特徴とする請求項１０記載の受信機。
【請求項１４】
前記テーブルにおいて読み出された前記整数値の集合から前記第１の推定値及び前記更なる推定値の各々に対する前記周波数オフセットの補正済み推定値を計算することにより前記周波数オフセットの補正済み推定値を計算するように更に構成されることを特徴とする請求項１３記載の受信機。
【請求項１５】
前記周波数オフセットの前記補正済み推定値として前記決定された整数値の集合の前記整数値のうちの１つに対応する周波数値を選択するように更に構成されることを特徴とする請求項１１又は１４記載の受信機。
【請求項１６】
前記決定された整数値の集合の前記整数値に対応する周波数値の平均値を計算し、
前記周波数オフセットの前記補正済み推定値として前記平均値を選択するように更に構成されることを特徴とする請求項１１又は１４記載の受信機。
【請求項１７】
前記決定された整数値の集合の前記整数値に対応する周波数値の重み付き平均値を計算し、
前記周波数オフセットの前記補正済み推定値として前記重み付き平均値を選択するように更に構成されることを特徴とする請求項１１又は１４記載の受信機。
【請求項１８】
前記周波数オフセットの前記補正済み推定値を取得するために各信号対雑音比に対応する重みを、前記決定された整数値の集合の前記整数値に対応する周波数値と混合するように更に構成されることを特徴とする請求項１１又は１４記載の受信機。
【請求項１９】
請求項１０から１８のいずれか１項に記載の受信機を備えたユーザ機器。
【請求項２０】
コンピュータに、請求項１から９のいずれか１項に記載の方法における各ステップを実行させるためのコンピュータプログラム。
【請求項２１】
コンピュータに、請求項１から９のいずれか１項に記載の方法における各ステップを実行させるためのプログラムを格納したコンピュータ可読媒体。